【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
或る地理的位置でソーシャルネットワークサービスに参加しているユーザの位置を共有するための、コンピュータシステムによって実行される方法であって、
前記ソーシャルネットワークサービスの第１ユーザのモバイル装置から位置情報及びステータス情報を受信するステップと、ここで、前記位置情報は前記第１ユーザの地理的位置を表しており、前記ステータス情報は前記モバイル装置の入力モジュールで前記第１ユーザによって手動入力されたものであり、
データベース内において前記位置情報に前記第１ユーザの前記ステータス情報を関係付けるステップと、
表示のために、前記第１ユーザの前記ステータス情報及び位置情報を第２ユーザに送るステップと
を具備することを特徴とする方法。
【請求項２】
地理的位置に関係付けられた情報についての前記第２ユーザからのリクエストを受信するステップと、
前記リクエストに応じた地理的位置の前記位置情報に関係付けられた前記第１ユーザの前記ステータス情報を取り出すように前記データベースに要求するステップと
を更に具備することを特徴とする請求項１に記載の方法。
【請求項３】
前記第２ユーザは、前記ソーシャルネットワークサービスにおいて前記第１ユーザに接続されるように該第１ユーザによって指定されることを特徴とする請求項１又は２に記載の方法。
【請求項４】
前記ステータス情報及び位置情報を前記第２ユーザに送る前記ステップは、前記第１ユーザの前記ステータス情報及び位置情報を含む該第１ユーザについての情報のページを生成することを含むことを特徴とする請求項１乃至３のいずれかに記載の方法。
【請求項５】
前記位置情報は、前記モバイル装置内のセンサで検出された無線式位置信号を処理することにより判定される番地を含むことを特徴とする請求項１乃至４のいずれかに記載の方法。
【請求項６】
前記位置情報は、前記モバイル装置で生成された無線式位置信号によって決定されることを特徴とする請求項１乃至４のいずれかに記載の方法。
【請求項７】
前記位置情報は、前記モバイル装置で前記第１ユーザによって手動で提供されることを特徴とする請求項１乃至４のいずれかに記載の方法。
【請求項８】
前記第２ユーザの位置情報を受信するステップと、
前記第１ユーザの位置情報と前記第２ユーザの位置情報に基づき前記第１ユーザが前記第２ユーザの近くにいるかを判定するステップと、
前記第１ユーザが前記第２ユーザの近くにいるとの判定に応じて、前記第２ユーザに対する前記第１ユーザについての情報の送信を開始するステップと
を更に具備することを特徴とする請求項１乃至７のいずれかに記載の方法。
【請求項９】
ソーシャルネットワークサービスを提供するためのコンピュータサーバであって、
第１ユーザのモバイル装置からの位置情報及びステータス情報の受信に応じて、データベース内に該第１ユーザの該ステータス情報に関係付けて該位置情報を格納するように構成されたデータベースモジュールと、ここで、前記位置情報は前記第１ユーザの地理的位置を表しており、前記ステータス情報は前記モバイル装置の入力モジュールで前記第１ユーザによって手動入力されたものであり、
前記モバイル装置から前記第１ユーザに関係付けられた前記位置情報及びステータス情報を受信し、かつ、表示のために前記第１ユーザの前記ステータス情報及び位置情報を第２ユーザに送るように構成された通信モジュールと
を具備することを特徴とするコンピュータサーバ。
【請求項１０】
前記ソーシャルネットワークサービスの前記第２ユーザが、前記位置情報及びステータス情報を受け取るように前記第１ユーザによって選択されたメンバーのリスト内に含まれているかを判定し、かつ、
前記第２ユーザが前記リスト内に含まれているとの判定に応じて、前記第２ユーザに対する前記ステータス情報及び位置情報の送信を開始する
ように構成されたプライバシー設定モジュール
を更に具備することを特徴とする請求項９に記載のコンピュータサーバ。
【請求項１１】
前記第２ユーザのコンピューティング装置の種類及び表示能力の少なくとも１つを含む該コンピューティング装置の仕様を判定し、かつ、
前記コンピューティング装置の仕様に従って該コンピューティング装置に送信するために、少なくとも前記位置情報及びステータス情報を含むデータを、情報ページにフォーマットする
ように構成された装置仕様および最適化モジュール
を更に具備することを特徴とする請求項９又は１０に記載のコンピュータサーバ。
【請求項１２】
前記第２ユーザからのクエリーの受信に応じて、前記データベースモジュールから前記第１ユーザの前記位置情報及びステータス情報を取り出すように構成されたクエリーモジュール、を更に具備することを特徴とする請求項９乃至１１のいずれかに記載のコンピュータサーバ。
【請求項１３】
前記クエリーモジュールは、更に、
前記第２ユーザの位置情報を受信し、
前記第１ユーザの位置情報と前記第２ユーザの位置情報に基づき前記第１ユーザが前記第２ユーザの近くにいるかを判定し、かつ、
前記第１ユーザが前記第２ユーザの近くにいるとの判定に応じて、前記第２ユーザに対する前記第１ユーザについての情報の送信を開始する
に構成されていることを特徴とする請求項１２に記載のコンピュータサーバ。
【請求項１４】
前記第２ユーザは、前記ソーシャルネットワークサービスにおいて前記第１ユーザに接続されるように該第１ユーザによって指定されることを特徴とする請求項９乃至１３のいずれかに記載のコンピュータサーバ。
【請求項１５】
前記通信モジュールは、更に、前記第１ユーザについての情報のページ内で前記ステータス情報及び位置情報を送るように構成されていることを特徴とする請求項９乃至１４のいずれかに記載のコンピュータサーバ。
【請求項１６】
前記位置情報は、前記モバイル装置内のセンサにより判定される番地を含むことを特徴とする請求項９乃至１５のいずれかに記載の方法。
【請求項１７】
前記地理的位置は、前記モバイル装置で生成された無線式位置信号によって判定されることを特徴とする請求項９乃至１５のいずれかに記載の方法。
【請求項１８】
ソーシャルネットワークサービスのユーザの位置を共有するための、コンピュータシステムによって実行される方法であって、
第１ユーザから入力情報及び位置情報を受信するステップと、ここで、前記位置情報は前記第１ユーザのモバイル装置に起因する前記ソーシャルネットワークサービスの前記第１ユーザの地理的位置を表しており、前記入力情報は前記モバイル装置の入力モジュールで前記第１ユーザによって手動入力されたものであり、
データベース内において前記位置情報に前記第１ユーザの前記入力情報を関係付けるステップと、
地理的位置に関係付けられた情報についての第２ユーザからのリクエストを受信するステップと、
前記リクエストの受信に応じて、前記地理的位置の前記位置情報に関係付けられた前記第１ユーザの前記入力情報を取り出すように前記データベースに要求するステップと、
前記第２ユーザのコンピューティング装置での表示のために、前記データベースから取り出した前記第１ユーザの前記入力情報を該第２ユーザに送るステップと
を具備することを特徴とする方法。
【請求項１９】
前記位置情報は、前記モバイル装置で生成された無線式位置信号によって決定されることを特徴とする請求項１８に記載の方法。
【請求項２０】
前記位置情報は、前記モバイル装置で前記第１ユーザによって手動で提供されることを特徴とする請求項１８に記載の方法。
【請求項２１】
或る地理的位置でソーシャルネットワークサービスに参加しているユーザの位置を共有するための、コンピュータシステムによって実行される方法であって、
前記ソーシャルネットワークサービスの第１ユーザの装置から位置情報及びステータス情報を受信するステップと、ここで、前記位置情報は前記第１ユーザの地理的位置を表しており、前記ステータス情報は前記モバイル装置の入力モジュールで前記第１ユーザによって手動入力されたものであり、
データベース内において前記位置情報に前記第１ユーザの前記ステータス情報を関係付けるステップと、
表示のために、前記第１ユーザの前記ステータス情報及び位置情報を第２ユーザに送るステップと
を具備することを特徴とする方法。